(57)【要約】【課題】より多様な映像サービスおよび音声サービスを利用することができる携帯電話機を提供する。【解決手段】略直方体形状の主筐体部に対し一対の副筐体部が開閉自在に組み合わされることにより観音開き形状をなし、観音開き形状を開いた状態において正面を構成するパネル領域であって、主筐体部の右側のパネル領域と主筐体部の左側のパネル領域と右側の副筐体部のパネル領域と左側の副筐体部のパネル領域に、それぞれ１つのスピーカと１つの表示器を配備し、観音開き形状を開いた状態において背面を構成するパネル領域に１つのスピーカを配備し、少なくとも４チャネル分の放送データを受信する放送データ受信回路部と、正面の４つのパネル領域それぞれに対応し当該パネル領域内のスピーカと表示器に音声と映像を出力させるスピーカ・表示器制御回路部と、背面のパネル領域内のスピーカに音声を出力させるリアスピーカ制御回路部とを備える。【選択図】図１
2009260593.tif 000002
【特許請求の範囲】
【請求項１】
略直方体形状の主筐体部に対し、通話時の形態において正面を構成するパネル領域を背面にして、一対の副筐体部が左右両端部に位置するヒンジ機構を介して開閉自在に組み合わされることにより観音開き形状で形成され、
観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域には、それぞれ１つのスピーカと１つの表示器とが配備され、
観音開き形状を開いた時の形態において背面を構成するパネル領域には、リアスピーカとして動作させる１つのスピーカが配備され、
少なくとも４チャネル分のテレビジョン放送のデータである放送データを受信し、デコードするためのハードウェア資源を含む放送データ受信回路部と、
前記正面の４つのパネル領域それぞれに対応して設けられ、対応するパネル領域に配備されているスピーカと表示器に音声と映像を出力させるための制御を行うスピーカ・表示器制御回路部と、
前記リアスピーカとして動作させるスピーカに音声を出力させるための制御を行うリアスピーカ制御回路部とを備えた
ことを特徴とする携帯電話機。
【請求項２】
各スピーカ・表示器制御回路部は、マルチチャネル再生モードが選択されている場合には、対応するパネル領域で提供するテレビジョン放送の視聴に関するユーザからの操作に応じて、放送データ受信回路部に含まれる当該スピーカ・表示器制御回路部に割り当てられている１チャネル分のハードウェア資源を用いて放送データの受信およびデコード処理をさせ、得られたオーディオ信号とビデオ信号を元に、対応するパネル領域に配備されているスピーカと表示器に音声と映像を出力させる
請求項１に記載の携帯電話機。
【請求項３】
各スピーカ・表示器制御回路部は、シングルチャネル再生モードが選択されている場合には、放送データ受信回路部に含まれる当該スピーカ・表示器制御回路部またはマスタとなったスピーカ・表示器制御回路部に割り当てられている１チャネル分のハードウェア資源を用いて得られた指定された番組のオーディオ信号およびビデオ信号を元に、対応するパネル領域に配備されているスピーカと表示器に音声と映像を出力させる
請求項１または請求項２に記載の携帯電話機。
【請求項４】
各スピーカ・表示器制御回路部は、マルチビュー再生モードが選択されている場合には、得られた指定された番組のビデオ信号に含まれる指定されたアングルのビデオ信号を元に、対応するパネル領域に配備されている表示器に映像を出力させる
請求項３に記載の携帯電話機。
【請求項５】
マスタとなったスピーカ・表示器制御回路部は、５．１ｃｈサラウンド再生モードが選択されている場合には、リアスピーカ制御回路部に、得られた指定された番組のオーディオ信号のうち少なくともリアスピーカ用として区分けされた音声成分のオーディオ信号を転送するための制御をし、
各スピーカ・表示器制御回路部は、５．１ｃｈサラウンド再生モードが選択されている場合には、得られた指定された番組のオーディオ信号に含まれる所定の音声成分のオーディオ信号を元に、対応するパネル領域に配備されているスピーカに音声を出力させ、
リアスピーカ制御回路部は、前記マスタとなったスピーカ・表示器制御回路部による転送制御によって得られるリアスピーカ用として区分けされた音声成分のオーディオ信号を元に、リアスピーカとして動作させるスピーカに音声を出力させる
請求項３に記載の携帯電話機。
【請求項６】
携帯電話機においてテレビジョン放送のマルチチャネル再生を実現するためのマルチチャネル再生実現方法であって、
携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、
観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、
前記正面の４つのパネル領域それぞれに対応して設けられ、対応するパネル領域に配備されているスピーカと表示器に音声と映像を出力させるための制御を行う各スピーカ・表示器制御回路部が、対応するパネル領域で提供するテレビジョン放送の視聴に関するユーザからの操作に応じて、少なくとも４チャネル分のテレビジョン放送のデータである放送データを受信してデコードする放送データ受信回路部に含まれる当該スピーカ・表示器制御回路部に割り当てられている１チャネル分のハードウェア資源を用いて放送データの受信およびデコード処理をさせ、得られたオーディオ信号およびビデオ信号を元に、対応するパネル領域に配備されているスピーカと表示器に音声と映像を出力させる
ことを特徴とするマルチチャネル再生実現方法。
【請求項７】
携帯電話機においてテレビジョン放送のマルチビュー再生を実現するためのマルチビュー再生実現方法であって、
携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、
観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、
前記正面の４つのパネル領域それぞれに対応して設けられ、対応するパネル領域に配備されているスピーカと表示器に音声と映像を出力させるための制御を行う各スピーカ・表示器制御回路部が、少なくとも４チャネル分のテレビジョン放送のデータである放送データを受信してデコードする放送データ受信回路部に含まれる当該スピーカ・表示器制御回路部またはマスタとなったスピーカ・表示器制御回路部に割り当てられている１チャネル分のハードウェア資源を用いて放送データの受信およびデコード処理をさせ、得られた指定された番組のビデオ信号に含まれる指定されたアングルのビデオ信号を元に、対応するパネル領域に配備されている表示器に映像を出力させる
ことを特徴とするマルチビュー再生実現方法。
【請求項８】
携帯電話機においてテレビジョン放送の５．１ｃｈサラウンド再生を実現するための５．１ｃｈサラウンド再生実現方法であって、
携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、
観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、
観音開き形状を開いた時の形態において背面側となるパネル領域に、リアスピーカとして動作させる１つのスピーカを配備し、
前記正面の４つのパネル領域それぞれに対応して設けられ、対応するパネル領域に配備されているスピーカと表示器に音声と映像を出力させるための制御を行う各スピーカ・表示器制御回路部のうちマスタとなったスピーカ・表示器制御回路部は、前記リアスピーカ制御回路部に、少なくとも４チャネル分のテレビジョン放送のデータである放送データを受信してデコードする放送データ受信回路部に含まれる当該スピーカ・表示器制御回路部に割り当てられている１チャネル分のハードウェア資源を用いて放送データの受信およびデコード処理をさせ、得られた指定された番組のオーディオ信号のうち少なくともリアスピーカ用として区分けされた音声成分のオーディオ信号を転送するための制御をし、
各スピーカ・表示器制御回路部は、前記放送データ受信回路部に含まれる当該スピーカ・表示器制御回路部またはマスタとなったスピーカ・表示器制御回路部に割り当てられている１チャネル分のハードウェア資源を用いて得られた指定された番組のオーディオ信号に含まれる所定の音声成分のオーディオ信号を元に、対応するパネル領域に配備されているスピーカに音声を出力させ、
リアスピーカ制御回路部は、前記マスタとなったスピーカ・表示器制御回路部による転送制御によって得られるリアスピーカ用として区分けされた音声成分のオーディオ信号を元に、前記リアスピーカとして動作させるスピーカに音声を出力させる
ことを特徴とする５．１ｃｈサラウンド再生実現方法。
【発明の詳細な説明】
【技術分野】
【０００１】
本発明は、携帯電話機に関し、特に、テレビジョン放送を視聴可能な携帯電話機に関する。また、携帯電話機におけるマルチチャネル再生実現方法、マルチビュー再生実現方法および５．１ｃｈサラウンド再生実現方法に関する。
【背景技術】
【０００２】
携帯電話機でテレビジョン放送（以下、テレビ放送という。）を視聴可能にする方法として、携帯電話・移動体端末向けの１セグメント部分受信サービス（いわゆるワンセグ）を利用した方法がある。ワンセグを利用した方法では、１チャネルの放送データを送信する周波数帯域を１３セグメントに区分けしたうちの１セグメントに割り当てられている、携帯電話・移動体端末向けに画面を小さく、性能を低くした放送データを受信することで、携帯電話機でテレビ放送を視聴可能にする。
【発明の開示】
【発明が解決しようとする課題】
【０００３】
しかし、１３セグメントの周波数帯域において、ハイビジョン放送には１２セグメント、標準放送には４セグメント割り当てられているのに対し、１セグメント分の帯域幅でしか送信されない放送データでは、やはり、ユーザの満足のいく画質や音声を確保することができない。
【０００４】
例えば、ワンセグ用の放送データの音声は２ｃｈステレオであり、５．１ｃｈサラウンドステレオには対応していない。
【０００５】
すなわち、既存の携帯電話機のスタイルにテレビ視聴機能を組み込もうという考えでは、配置や処理能力の面で制約が多く、提供できる映像サービスおよび音声サービスが限られてしまうという問題があった。
【０００６】
なお、特許文献１には、それぞれが画面表示部を有する２枚以上の平面長方形状の表示パネルを互いに折り畳み自在に接続し、いずれかの表示パネルの裏側に無線通信により他人と会話を行うためのスピーカおよびマイクが備えられている折り畳み式表示装置が記載されているが、各画面表示部に対する制御方法等について何ら記載がない。
【０００７】
【特許文献１】特開平１０−３１９８７９号公報
【０００８】
そこで、本発明は、より多様な映像サービスおよび音声サービスを利用することができる携帯電話機を提供することを目的とする。
【０００９】
より具体的には、携帯電話機において、最大４画面を利用したマルチチャネル再生とマルチビュー再生と５．１ｃｈサラウンド再生とを可能にすることを目的とする。
【課題を解決するための手段】
【００１０】
本発明による携帯電話機は、略直方体形状の主筐体部に対し、通話時の形態において正面を構成するパネル領域を背面にして、一対の副筐体部が左右両端部に位置するヒンジ機構を介して開閉自在に組み合わされることにより観音開き形状で形成され、観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域には、それぞれ１つのスピーカと１つの表示器とが配備され、観音開き形状を開いた時の形態において背面を構成するパネル領域には、リアスピーカとして動作させる１つのスピーカが配備され、少なくとも４チャネル分のテレビジョン放送のデータである放送データを受信し、デコードするためのハードウェア資源を含む放送データ受信回路部と、正面の４つのパネル領域それぞれに対応して設けられ、対応するパネル領域に配備されているスピーカと表示器に音声と映像を出力させるための制御を行うスピーカ・表示器制御回路部と、リアスピーカとして動作させるスピーカに音声を出力させるための制御を行うリアスピーカ制御回路部とを備えたことを特徴とする。
【００１１】
また、本発明によるマルチチャネル再生実現方法は、携帯電話機においてテレビジョン放送のマルチチャネル再生を実現するためのマルチチャネル再生実現方法であって、携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、正面の４つのパネル領域それぞれに対応して設けられ、対応するパネル領域に配備されているスピーカと表示器に音声と映像を出力させるための制御を行う各スピーカ・表示器制御回路部が、対応するパネル領域で提供するテレビジョン放送の視聴に関するユーザからの操作に応じて、少なくとも４チャネル分のテレビジョン放送のデータである放送データを受信してデコードする放送データ受信回路部に含まれる当該スピーカ・表示器制御回路部に割り当てられている１チャネル分のハードウェア資源を用いて放送データの受信およびデコード処理をさせ、得られたオーディオ信号およびビデオ信号を元に、対応するパネル領域に配備されているスピーカと表示器に音声と映像を出力させることを特徴とする。
【００１２】
また、本発明によるマルチビュー再生実現方法は、携帯電話機においてテレビジョン放送のマルチビュー再生を実現するためのマルチビュー再生実現方法であって、携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、正面の４つのパネル領域それぞれに対応して設けられ、対応するパネル領域に配備されているスピーカと表示器に音声と映像を出力させるための制御を行う各スピーカ・表示器制御回路部が、少なくとも４チャネル分のテレビジョン放送のデータである放送データを受信してデコードする放送データ受信回路部に含まれる当該スピーカ・表示器制御回路部またはマスタとなったスピーカ・表示器制御回路部に割り当てられている１チャネル分のハードウェア資源を用いて放送データの受信およびデコード処理をさせ、得られた指定された番組のビデオ信号に含まれる指定されたアングルのビデオ信号を元に、対応するパネル領域に配備されている表示器に映像を出力させることを特徴とする。
【００１３】
また、本発明による５．１ｃｈサラウンド再生実現方法は、携帯電話機においてテレビジョン放送の５．１ｃｈサラウンド再生を実現するための５．１ｃｈサラウンド再生実現方法であって、携帯電話機の形状を、略直方体形状の主筐体部に対し、通話時の形態において正面を構成するパネル領域を背面にして、一対の副筐体部を左右両端部に位置するヒンジ機構を介して開閉自在に組み合わせることにより、観音開き形状とし、観音開き形状を開いた時の形態において正面を構成するパネル領域であって、主筐体部を長手方向に２分割した際の右側に位置するパネル領域と、主筐体部を長手方向に２分割した際の左側に位置するパネル領域と、右側の副筐体部のパネル領域と、左側の副筐体部のパネル領域とに、それぞれ１つのスピーカと１つの表示器とを配備し、観音開き形状を開いた時の形態において背面側となるパネル領域に、リアスピーカとして動作させる１つのスピーカを配備し、正面の４つのパネル領域それぞれに対応して設けられ、対応するパネル領域に配備されているスピーカと表示器に音声と映像を出力させるための制御を行う各スピーカ・表示器制御回路部のうちマスタとなったスピーカ・表示器制御回路部は、リアスピーカ制御回路部に、少なくとも４チャネル分のテレビジョン放送のデータである放送データを受信してデコードする放送データ受信回路部に含まれる当該スピーカ・表示器制御回路部に割り当てられている１チャネル分のハードウェア資源を用いて放送データの受信およびデコード処理をさせ、得られた指定された番組のオーディオ信号のうち少なくともリアスピーカ用として区分けされた音声成分のオーディオ信号を転送するための制御をし、各スピーカ・表示器制御回路部は、放送データ受信回路部に含まれる当該スピーカ・表示器制御回路部またはマスタとなったスピーカ・表示器制御回路部に割り当てられている１チャネル分のハードウェア資源を用いて得られた指定された番組のオーディオ信号に含まれる所定の音声成分のオーディオ信号を元に、対応するパネル領域に配備されているスピーカに音声を出力させ、リアスピーカ制御回路部は、マスタとなったスピーカ・表示器制御回路部による転送制御によって得られるリアスピーカ用として区分けされた音声成分のオーディオ信号を元に、リアスピーカとして動作させるスピーカに音声を出力させることを特徴とする。
【発明の効果】
【００１４】
本発明によれば、より多様な映像サービスおよび音声サービスを利用することができる携帯電話機を提供することができる。
【発明を実施するための最良の形態】
【００１５】
以下、本発明の実施形態を図面を参照して説明する。図１は、本発明による携帯電話機の一実施形態としての携帯電話機１の形状を示す説明図である。なお、図１（ａ）は、携帯電話機１の観音開き状態での正面図である。また、図１（ｂ）は、携帯電話機１の観音開き状態での側面図である。
【００１６】
図１に示すように、本実施形態の携帯電話機１では、主筐体部１Ｃの左右両端部側にヒンジ部１２Ｒ，１２Ｌを設け、それらを軸に開閉する１対の副筐体部１１Ｒ，１Ｌを接続することにより、携帯電話機全体としてのパネル構造を観音開き状に形成する。なお、主筐体部１Ｃと副筐体部１１ＳＲ，１１ＳＬとは、それぞれヒンジ部１２Ｒ，１２Ｌを介して機械的および電気的に接続されている。
【００１７】
以下、観音開き形状を開くことにより見えるようになるパネル領域を、観音開き形状における表面（正面）とする。本実施形態では、設計上、主筐体部１１Ｃの表側のパネル領域を２分割し、正面から見て右側をパネル領域１０ＣＲ、左側をパネル領域ＣＬとする。また、主筐体部１１Ｃの右側にヒンジ部１２Ｒを介して接続される副筐体部１１ＳＲの表側のパネル領域をパネル領域１０ＳＲとする。また、主筐体部１１Ｃの左側にヒンジ部１２Ｌを介して接続される副筐体部１１ＳＬの表側のパネル領域をパネル領域１０ＳＬとする。
【００１８】
携帯電話機１は、４つのパネル領域１０ＣＲ，１０ＣＬ，１０ＳＲ，１０ＳＬに、それぞれ１つのモニタ１３および１つのスピーカ１４を配設している。さらに、観音開き形状における裏面（背面）を構成しているパネル領域（図１の例では、主筐体部１１Ｃの裏側のパネル領域）に１つのスピーカ１４を配設している。すなわち、携帯電話機１は、観音開き形状を開いた状態で、表側に４つのモニタと４つのスピーカが配置され、裏側に１つのスピーカが配設された構成となっている。
【００１９】
以下、パネル領域１０ＣＲに配設されるモニタ１３をモニタ１３ＣＲ、スピーカ１４をスピーカ１４ＣＲという。また、パネル領域１０ＣＬに配設されるモニタ１３をモニタ１３ＣＬ、スピーカ１４をスピーカ１４ＣＬという。また、パネル領域１０ＳＲに配設されるモニタ１３をモニタ１３ＳＲ、スピーカ１４をスピーカ１４ＳＲという。パネル領域１０ＳＬに配設されるモニタ１３をモニタ１３ＳＬ、スピーカ１４をスピーカ１４ＳＬという。また、観音開き形状における裏面を構成しているパネル領域に配設されるスピーカ１４をスピーカ１４Ｒｅという。
【００２０】
なお、これら４つのモニタ１３（１３ＣＲ，１３ＣＬ，１３ＳＲ，１３ＳＬ）は、観音開き形状を開いた状態で１列に並ぶように配設されるのが好ましい。また、図示省略しているが、各モニタ１３上には、ユーザからの操作入力を受け付けるためのタッチパネルが配設されるのが好ましい。なお、タッチパネルではなく、各モニタ１３の枠外となるパネル領域に制御ボタン等を配設することも可能である。
【００２１】
本例では、５．１ｃｈサラウンド再生において、スピーカ１４ＣＬをセンタースピーカとして機能させる。また、スピーカ１４ＣＲをサブウーハースピーカとして機能させる。また、スピーカ１４ＳＬをＬ側フロントスピーカとして機能させる。また、スピーカ１４ＳＲをＲ側フロントスピーカとして機能させる。また、スピーカ１４Ｒｅをリアスピーカとして機能させる。
【００２２】
これら４つのモニタ１３と５つのスピーカ１４とを用いて、携帯電話機１においてテレビ放送の最大４チャネルのマルチチャネル再生と、最大４画面を用いたマルチビュー再生と、５．１ｃｈオーディオ再生とを実現する。
【００２３】
また、図２は、観音開き形状を閉じた状態の携帯電話機１を示す説明図である。なお、図２（ａ）は、観音開き形状を閉じた状態の携帯電話機１の側面図である。また、図２（ｂ）は、観音開き形状を閉じた状態の携帯電話機１の正面図である。また、図２（ｃ）は、観音開き形状を閉じた状態の携帯電話機１の背面図である。図１に示す観音開き形状を開いたから、副筐体部１１ＳＲ，１１ＳＬをそれぞれヒンジ部１２Ｒ，１２Ｌを軸にして、観音開き形状での表面を内側にする方向に１８０度回転させることにより、閉状態となる。
【００２４】
図２に示すように、本実施形態の携帯電話機１は、観音開き形状を閉じた状態では、主筐体部１１Ｃの裏側のパネル領域が携帯スタイル形状における表面を形成している。図２に示す例では、主筐体部１１Ｃの裏側のパネル領域に、５．１ｃｈオーディオ再生におけるリアスピーカとして機能させるスピーカ１４Ｒｅの他に、携帯スタイル時に各種情報を表示するためのモニタ１５や、音声を出力するためのスピーカ１６、各種操作用のキー部１７、音声を入力するためのマイクロフォン１８が配設されている。
【００２５】
また、観音開き形状を閉じた状態では、副筐体部１１ＳＲと１１ＳＬの裏側のパネル領域が閉じ合わされることにより、携帯スタイル形状における裏面を形成している。なお、副筐体部１１ＳＲと１１ＳＬとを閉じた状態のまま留めておくための固定具１９を備えていてもよい。
【００２６】
また、図３は、携帯電話機１の構成例を機能ブロック図として示している。図３に示すように、携帯電話機１は、携帯電話機の既存の機能を実現するための携帯機能部１００として、ＲＦブロック１０１と、携帯スタイル用キーＩ／Ｆ１０２と、携帯スタイル用Ａｕｄｉｏ回路部１０３と、携帯スタイル用Ｖｉｄｅｏ回路部１０４と、携帯制御部（主制御部）１０５とを備えている。さらに、本発明によるテレビ視聴機能を実現するために、携帯電話機１は、４ｃｈ分の放送データ受信回路部１１０と、４つのパネル領域それぞれに対応する制御回路部１２０（パネル領域ＣＲ用制御回路部１２０ＣＲ，パネル領域ＣＬ用制御回路部１２０ＣＬ，パネル領域ＳＲ用制御回路部１２０ＳＲ，パネル領域ＳＬ用制御回路部１２０ＳＬ）と、リアスピーカ用制御回路部１３０Ｒｅとを備える。
【００２７】
また、制御回路部１２０ＣＲ，１２０ＣＬ，１２０ＳＲ，１２０ＣＬは、それぞれパネル制御部１２１と、Ａｕｄｉｏ回路部１２２と、Ｖｉｄｅｏ回路部１２３と、タッチパネルＩ／Ｆ１２４とを含む。
【００２８】
また、リアスピーカ用制御回路部１３０Ｒｅは、リアスピーカ制御部１３１と、Ａｕｄｉｏ回路部１２２とを含む。
【００２９】
ＲＦブロック１０１は、当該携帯電話機１で通話やデータ通信を実施するために基地局との間の無線通信を行う。携帯スタイル用キーＩ／Ｆ１０２は、携帯スタイル形状において各種ユーザからの操作指示を受け付けるためのキーインタフェースであって、キー部１７に対する操作内容を示す情報を入力する。携帯スタイル用Ａｕｄｉｏ回路部１０３は、携帯スタイル形状においてスピーカ１６から各種音声を再生するための回路群である。携帯スタイル用Ｖｉｄｅｏ回路部１０４は、携帯スタイル形状においてモニタ１５に各種画像を表示するための回路群である。
【００３０】
また、携帯制御部１０５は、携帯電話機としての機能を実現するための各種制御を行う。例えば、ＲＦブロックを介して無線通信を行って通話を実現させたりする。また、読み込んだアプリケーションブログラムに従って、携帯スタイル用キーＩ／Ｆ１０２から操作指示を受け付けて、携帯スタイル用Ａｕｄｉｏ回路部１０３や携帯スタイル用Ｖｉｄｅｏ回路部１０４を制御することにより、ゲームを実行したり、電子メールの作成や送受信を行ったりする。なお、本実施形態では、各制御回路部１２０に含まれるパネル制御部１２１やリアスピーカ用制御回路部１３０Ｒｅに含まれるリアスピーカ制御部１３１に対し、制御開始や終了、停止、再開を指示するなどの携帯電話機全体としての動作状態を制御する機能を有する。例えば、着信等があった場合には、テレビ視聴機能を一旦停止させるといった制御を行う。
【００３１】
放送データ受信回路部１１０は、各制御回路部１２０からの指示に従い、デジタルテレビジョン放送のデータである放送データを受信する。また、放送データ受信回路部１１０は、受信した放送データをデコードして、指定されたバッファ（各制御回路部１２０やリアスピーカ用制御回路部１３０Ｒｅが備えるバッファ。図示せず。）に出力する機能を有する。なお、放送データ受信回路部１１０は、最大で４ｃｈ分の放送データの受信およびデコード処理が並列で処理可能とする。以下、放送データ受信回路部１１０が含む１チャネル分のテレビジョン放送のデータである放送データを受信し、デコードするためのハードウェア資源を１チャネル資源という。
【００３２】
放送データ受信回路部１１０は、例えば、４つのチューナと、４つの入力端子に対し並列処理が可能なＭＰＥＧデコーダとを含む回路群によって構成される。なお、１チャネル分の放送データを受信可能な構成を１単位とし、４つの放送データ受信回路部を独立して設けることも可能である。なお、そのような場合には、各放送データ受信回路部に同期信号を入力するなどしてそれぞれを同期させて動作させてもよい。
【００３３】
チューナは、指定されたチャネルで送波されている放送データを受信する。チューナは、例えば、地上デジタル放送の放送データであるＴＳデータを受信するデジタルチューナである。ＭＰＥＧデコーダは、入力される放送データに対してデコード処理を行いデジタルビデオ信号とデジタルオーディオ信号とに復元して出力する。
【００３４】
パネル領域ＣＲ用制御回路部１２０ＣＲ（以下、単に制御回路部１２０ＣＲという。）は、パネル領域１０ＣＲに配備されたモニタ１３ＣＲとスピーカ１４ＣＲに、テレビ放送の映像と音声を出力させるためのユニットである。ここでは、ユニットをひとまとまりで動作するチップ、回路等の総称として用いている。制御回路部１２０ＣＲは、例えば、対応するパネル領域（パネル領域１０ＣＲ）を形成している筐体内に設けられたパネル基盤上に、該パネル領域に配備されたモニタ１３（モニタ１３ＣＲ）およびスピーカ１４（スピーカ１３ＣＲ）への出力信号配線とともに形成される。
【００３５】
また、パネル領域ＣＬ用制御回路部１２０ＣＬ（以下、単に制御回路部１２０ＣＬという。）は、パネル領域１０ＣＬに配備されたモニタ１３ＣＬとスピーカ１４ＣＬに、テレビ放送の映像と音声を出力させるためのユニットである。
【００３６】
また、パネル領域ＳＲ用制御回路部１２０ＳＲ（以下、単に制御回路部１２０ＳＲという。）は、パネル領域１０ＳＲに配備されたモニタ１３ＳＲとスピーカ１４ＳＲに、テレビ放送の映像と音声を出力させるためのユニットである。
【００３７】
また、パネル領域ＳＬ用制御回路部１２０ＳＬ（以下、単に制御回路部１２０ＳＬという。）は、パネル領域１０ＳＬに配備されたモニタ１３ＳＬとスピーカ１４ＳＬに、テレビ放送の映像と音声を出力させるためのユニットである。
【００３８】
各制御回路部１２０は、それぞれ少なくとも携帯制御部１０５と放送データ受信回路部１１０との間でデータのやりとりが可能なように接続される。なお、制御回路部１２０ＣＲと制御回路部１２０ＣＬと制御回路部１２０ＳＲと制御回路部１２０ＳＬとは、基本的に同じ構成でよい。
【００３９】
パネル制御部１２１は、テレビ視聴モードに応じて、放送データ受信回路部１１０（当該パネル制御部１２１に割り当てられているチャネル資源に対応する放送データ受信回路部１１０）や、当該パネル制御部１２１を含む制御回路部１２０に含まれるＡｕｄｉｏ回路部１２２、Ｖｉｄｅｏ回路部１２３を制御することにより、当該パネル制御部１２１を含む制御回路部１２０に対応づけられたモニタ１３とスピーカ１４に、テレビ放送の映像と音声を出力させる。また、パネル制御部１２１は、タッチパネルＩ／Ｆ１２４を介してユーザからの操作指示を受け付けて、受け付けた操作指示に応じて制御を行う。パネル制御部１２１は、例えば、プログラムに従って動作する独立したＣＰＵによって実現される。
【００４０】
パネル制御部１２１は、例えば、放送データ受信回路部１１０に対しては、放送データの受信の開始を指示する旨の制御を行ったり、選局のためのチャネルを設定するための制御を行う。また、例えば、Ａｕｄｉｏ回路部１２２に対して、例えば、オーディオ信号の入力や、音声出力のＯＮ／ＯＦＦの制御や音量の設定等を行う。
【００４１】
また、例えば、Ｖｉｄｅｏ回路部１２３に対して、例えば、ビデオ信号の入力や、映像出力のＯＮ／ＯＦＦや、画質調整の設定等を行う。また、例えば、テレビ機能の現在の状態を表示するための情報（チャネル番号等）やメニュー項目を表示するためのビデオ信号を指定して合成させる制御を行う。
【００４２】
なお、パネル制御部１２１は、当該パネル制御部１２１に対応づけられた放送データ受信回路部１１０からのデコード処理完了の通知を受けた場合に、Ａｕｄｉｏ回路部１２２やＶｉｄｅｏ回路部１２３に、デコードして得られたオーディオ信号やビデオ信号を入力すればよい。パネル制御部１２１は、例えば、バスの転送制御を実行することにより、入力すればよい。
【００４３】
Ａｕｄｉｏ回路部１２２は、音声の再生を行うユニットである。Ａｕｄｉｏ回路部１２２は、例えば、ミキシング・アンプ回路と、Ｄ−Ａコンバータとを含む回路群によって構成される。ミキシング・アンプ回路は、オーディオ信号のミキシングや音量制御を行う回路である。Ｄ−Ａコンバータは、放送データ受信回路部１１０によって得られたデジタルオーディオ信号をアナログ形式のオーディオ信号に変換する。ミキシング・アンプ回路は、パネル制御部１２１からの指示に従い、Ｄ−Ａコンバータによってアナログ形式に変換されたオーディオ信号に対してミキシング処理や音量制御を行い、接続先のスピーカ１４に出力する。
【００４４】
Ｖｉｄｅｏ回路部１２３は、映像の表示を行うユニットである。Ｖｉｄｅｏ回路部１２３は、例えば、表示制御ＩＣと、ＶＩＤＥＯ信号変換回路とを含む回路群によって構成される。表示制御ＩＣは、例えば、スケーリング処理機能を持った表示合成用制御デバイスである。ＶＩＤＥＯ信号変換回路は、放送データ受信回路部１１２によって得られたデジタルビデオ信号を表示制御ＩＣの入力フォーマット形式に変換する回路である。表示制御ＩＣは、パネル制御部１２１からの指示に従い、ＶＩＤＥＯ信号変換回路を介して入力されるビデオ信号に対して、スケーリング処理等を行いつつ、モニタ１３に対応する表示信号に変換して出力する。
【００４５】
タッチパネルＩ／Ｆ１２４は、モニタ１３上に設けられたタッチパネル機構との間でモニタ上のユーザのタッチ箇所を検出するための制御信号をやりとりするためのインタフェースである。なお、タッチパネルではなく、制御ボタン等を配設する場合には、タッチパネルＩ／Ｆ１２４の代わりに、制御ボタンの操作内容に応じた信号を入力する制御ボタンＩ／Ｆを備えればよい。
【００４６】
また、リアスピーカ用制御回路部１３０Ｒｅ（以下、単に制御回路部１３０Ｒｅという。）は、スピーカ１４Ｒｅを５．１ｃｈサラウンド再生モード時にリアスピーカとして機能させる（音声を出力させる）ためのユニットである。制御回路部１３０Ｒｅは、例えば、スピーカ１４Ｒｅが配設されたパネル領域を形成している筐体内に設けられたパネル基盤上に、該スピーカ１４Ｒｅへの出力信号配線とともに形成される。なお、制御回路部１３０Ｒｅは、少なくとも携帯制御部１０５と放送データ受信回路部１１２との間でデータのやりとりが可能なように接続される。
【００４７】
リアスピーカ制御部１３１は、テレビ視聴モードが５．１ｃｈサラウンド再生モードである場合に、当該リアスピーカ制御部１３１を含む制御回路部１３０Ｒｅに含まれるＡｕｄｉｏ回路部１２２を制御することにより、スピーカ１４Ｒｅに、テレビ放送の音声の所定音声成分を出力させる。なお、本実施形態では、出力させる番組の音声のオーディオ信号は、当該制御回路部１３０Ｒｅが備えるバッファに転送されるものとし、リアスピーカ制御部１３１は、該バッファに転送されたデータから該当する音声成分を抽出すればよい。なお、該バッファへの転送制御は、５．１ｃｈサラウンド再生モードで使用するチャネル資源に対応する放送データ受信回路部１１０を制御対象とするパネル制御部１２１が行えばよい。
【００４８】
また、図４は、本実施形態の携帯電話機１のハードウェアでの構成例を示す説明図である。なお、図４において、パネル基盤Ｃ−１は、主筐体部１１Ｃ内の表面側（観音開き形状を開いた状態での表面側）に設けられるパネル基盤を示している。また、パネル基盤Ｃ−２は、主筐体部１１Ｃ内の裏面側（観音開き形状を開いた状態での裏面側）に設けられるパネル基盤を示している。また、パネル基盤ＳＲは、副筐体部１１ＳＲ内に設けられるパネル基盤を示している。また、パネル基盤ＳＬは、副筐体部１１ＳＬ内に設けられるパネル基盤を示している。また、実線でデータ信号の接続状態を示し、破線で制御信号の接続状態を示している。
【００４９】
図４に示す例では、パネル基盤Ｃ−２上に、マスタＣＰＵが搭載され、該マスタＣＰＵに付随する形で、ＲＦブロックと、キーＩ／Ｆと、ｖｉｄｅｏ回路と、２つのＡｕｄｉｏ回路と、バッファとが搭載されている。また、パネル基盤Ｃ−１上の向かって左側に、スレーブＣＰＵ１が搭載され、該スレーブＣＰＵ１に付随する形で、Ａｕｄｉｏ回路１と、タッチパネルＩ／Ｆ１と、Ｖｉｄｅｏ回路１と、バッファ１とが搭載されている。また、パネル基盤Ｃ−１上の向かって右側に、スレーブＣＰＵ２が搭載され、該スレーブＣＰＵ２に付随する形で、Ａｕｄｉｏ回路２と、タッチパネルＩ／Ｆ２と、Ｖｉｄｅｏ回路２と、バッファ２とが搭載されている。また、パネル基盤ＳＲ上に、スレーブＣＰＵが搭載され、該スレーブＣＰＵに付随する形で、Ａｕｄｉｏ回路と、タッチパネルＩ／Ｆと、Ｖｉｄｅｏ回路と、バッファとが搭載されている。また、パネル基盤ＳＬ上に、スレーブＣＰＵが搭載され、該スレーブＣＰＵに付随する形で、Ａｕｄｉｏ回路と、タッチパネルＩ／Ｆと、Ｖｉｄｅｏ回路と、バッファとが搭載されている。
【００５０】
図４に示す例において、携帯制御部１０５は、マスタＣＰＵによって実現される。また、制御回路部１２０ＣＲのパネル制御部１２１は、パネル基盤Ｃ−１上に搭載されるスレーブＣＰＵ２によって実現される。制御回路部１２０ＣＬのパネル制御部１２１は、パネル基盤Ｃ−１上に搭載されるスレーブＣＰＵ１によって実現される。制御回路部１２０ＳＲのパネル制御部１２１は、パネル基盤ＳＲ上に搭載されるスレーブＣＰＵによって実現される。制御回路部１２０ＳＬのパネル制御部１２１は、パネル基盤ＳＬ上に搭載されるスレーブＣＰＵによって実現される。また、パネル基盤Ｃ−１上に搭載された２つのＡｕｄｉｏ回路は、一方が携帯スタイル用のＡｕｄｉｏ回路を実現し、他方がリアスピーカ制御回路部１３０のＡｕｄｉｏ回路を実現している。なお、リアスピーカ制御部１３１は、マスタＣＰＵが携帯制御部１０５と兼用して実現している。これは、スピーカ１４Ｒｅを、携帯スタイル時の通話用スピーカとしても使用するためである。なお、スピーカ１４Ｒｅを個別に設けずに、既存の通話用スピーカ１６をスピーカ１４Ｒｅとして動作させることも可能である。
【００５１】
また、各スレーブＣＰＵと放送データ受信回路およびマスタＣＰＵとが制御信号を介して接続されている。また、放送データ受信回路と各バッファ（マスタＣＰＵおよび各スレーブＣＰＵ制御下のバッファ）とがデータ信号を介して接続されている。
【００５２】
なお、図４に示す例では、放送データ受信回路をパネル基盤Ｃ−１に搭載する例を示しているが、放送データ受信回路は、どこに搭載されていてもよい。また、１ｃｈ分の放送データを受信可能な構成を１単位とする場合には、各スレーブＣＰＵの配下として搭載することも可能である。なお、そのような場合には、各バッファ間がデータ信号を介して接続されていればよい。
【００５３】
このように、５ＣＰＵのマスタ・スレーブ構成をとることで、リアルタイムに携帯電話機の既存の機能とテレビ視聴機能とを並列に制御することが可能になる。
【００５４】
次に、本実施形態の動作について説明する。まずテレビ視聴モードについて説明する。本例では、テレビ視聴モードとして、マルチチャネル再生モードと、シングルチャネル再生モードとを用意する。さらに、シングルチャネル再生モードのオプションとしてマルチビュー再生モードと、５．１ｃｈサラウンド再生モードとを用意する。
【００５５】
マルチチャネル再生モードは、４つの画面を用いて最大４番組を同時に放映するモードである。マルチチャネル再生モードでは、４つのパネル領域１０ＣＲ，１０ＣＬ，１０ＳＲ，ＳＬにそれぞれ対応づけられた各制御回路部１２０ＣＲ，１２０ＣＬ，１２０ＳＲ，１２０ＳＬが、独立して制御を行う。例えば、各パネル領域のいずれからのシングルチャネル再生モードが選択されていない状態を、マルチチャネル再生モードとしてもよい。
【００５６】
パネル制御部１２１は、マルチチャネル再生モードが選択されている場合には、対応するパネル領域で提供するテレビジョン放送の視聴に関するユーザからの操作に応じて、放送データ受信回路部１１０の当該パネル制御部１２１に割り当てられているチャネル資源を用いて放送データの受信およびデコード処理をさせ、得られたオーディオ信号とビデオ信号を元に、対応するパネル領域に配備されているスピーカ１４とモニタ１３に音声と映像を出力させればよい。
【００５７】
例えば、マルチチャネル再生モードでは、各制御回路部１２０のパネル制御部１２１が、それぞれ当該パネル領域内でのユーザ操作に応じて、対応づけられた放送データ受信回路部１１０に放送データの受信の開始を指示する旨の制御を行ったり、選局のためのチャネルを設定するための制御を行ったり、配下のＡｕｄｉｏ回路部１２２に音声出力のＯＮ制御を行ったり、配下のＶｉｄｅｏ回路部１２３に映像出力のＯＮ制御を行ったりする。なお、放送データのオーディオ信号やビデオ信号が得られるまでは、初期化処理のみを行ってもよい。そして、該放送データ受信回路部１１０からのデコード処理完了の通知を受けたら、配下のＡｕｄｉｏ回路部１２２およびＶｉｄｅｏ回路部１２３に、該放送データ受信回路部１１０から得られたオーディオ信号やビデオ信号を入力し、該オーディオ信号を音声にして出力させる制御や、該ビデオ信号を映像にして出力させる制御を行えばよい。従って、各パネル領域のスピーカからは、それぞれのモニタに表示させている番組の音声が再生される。なお、マルチチャネル再生モードでは、各画面にて、番組を切り替えるメニュー項目を用意すればよい。
【００５８】
次に、シングルチャネル再生モードについて説明する。シングルチャネル再生モードは、最大４つの画面を用いて１番組を放映するモードである。なお、４つの画面のうち１つの画面のみを用いるなど、用いる画面は１〜４つのうちいくつであってもよい。シングルチャネル再生モードでは、あるモニタに表示させている番組のみを表示する。なお、本実施形態では、シングルチャネル再生モードの場合、最大３アングルのマルチビュー（マルチアングル）を表示可能にする。また、オプションモードとして５．１ｃｈサラウンド再生モードを用意する。
【００５９】
パネル制御部１２１は、シングルチャネル再生モードが選択されている場合には、放送データ受信回路部１１０の当該パネル制御部１２１またはマスタとなったパネル制御部１２１に割り当てられているチャネル資源を用いて得られた指定された番組のオーディオ信号およびビデオ信号を元に、対応するパネル領域に配備されているスピーカ１４とモニタ１３に音声と映像を出力させてもよい。
【００６０】
また、シングルチャネル再生モードでさらにマルチビュー再生モードが選択されている場合には、得られた指定された番組のビデオ信号に含まれる指定されたアングルのビデオ信号を元に、対応するパネル領域に配備されているモニタ１３に映像を出力させてもよい。
【００６１】
また、シングルチャネル再生モードでさらに５．１ｃｈサラウンド再生モードが選択されている場合には、マスタとなったパネル制御部１２１が、リアスピーカ制御部１３１に、得られた指定された番組のオーディオ信号のうち少なくともリアスピーカ用として区分けされた音声成分のオーディオ信号を転送するための制御をしてもよい。リアスピーカ制御部１３１では、マスタとなったパネル制御部１２１による転送制御によって得られるリアスピーカ用として区分けされた音声成分のオーディオ信号を元に、スピーカ１４Ｒｅに音声を出力させればよい。
【００６２】
なお、各パネル制御部１２１では、得られた指定された番組のオーディオ信号に含まれる所定の音声成分のオーディオ信号を元に、対応するパネル領域に配備されているスピーカ１４に音声を出力させればよい。
【００６３】
例えば、ある番組を視聴中のパネル領域において、ユーザからシングルチャネル再生モードに移行する旨の操作がされたとする。該パネル領域に対応するパネル制御部１２１は、タッチパネルＩ／Ｆ１２４等を介してその操作指示を受け付ける。パネル制御部１２１は、シングルチャネル再生モードが当該パネル領域主導で選択されたことを認識し、当該パネル制御部１２１をマスタとしてシングルチャネル再生モードに移行する旨を当該パネル領域で視聴中の番組の情報とともに、他のパネル制御部１２１に通知する。
【００６４】
そして、対応づけられた放送データ受信回路部１１０からのオーディオ信号およびビデオ信号を他の制御回路部１２０が備えるバッファに転送するためのバスの転送制御を実行する。なお、他の制御回路部１２０が各々対応づけられた放送データ受信回路部１１０から同じ番組の放送データを受信する場合には、転送制御は不要である。
【００６５】
ここで、マルチビュー再生モードオプションが選択されている場合には、該放送データ受信回路部１１０に対して、マルチビューに対応した同番組を受信するよう制御してもよい。また、５．１ｃｈサラウンド再生モードオプションが選択されている場合には、該放送データ受信回路部１１０に対して、５．１ｃｈサラウンドに対応した同番組を受信するよう制御してもよい。なお、５．１ｃｈサラウンド再生モードオプションが選択されている場合には、マスタ・パネル制御部１２１は、当該パネル制御部１２１をマスタとして５．１ｃｈサラウンド再生モードに移行する旨の通知を、他のパネル制御部１２１だけでなく、リアスピーカ制御部１３１にも通知し、対応づけられた放送データ受信回路部１１０からのオーディオ信号およびビデオ信号をリアスピーカ制御部１３０が備えるバッファに転送するためのバスの転送制御を実行する。
【００６６】
なお、シングルチャネル再生モードでは、各画面にて、アングルを切り替えるメニュー項目を用意してもよい。その他にも、番組を切り替えるメニュー項目やモードを選択するメニュー項目を用意してもよい。なお、番組を切り替えるメニュー項目が選択された場合には、その選択されたパネル領域に対応するパネル制御部１２１が、マスタ・パネル制御部１２１になって同様の処理を行えばよい。
【００６７】
マスタ・パネル制御部１２１からの通知を受けた他のパネル制御部１２１では、例えば、対応する放送データ受信回路部１１０に対し受信停止の制御を行い、マスタ・パネル制御部１２１によるバス転送制御により配下のバッファに転送されるオーディオ信号とビデオ信号を配下のＡｕｄｉｏ回路部１２２およびＶｉｄｅｏ回路部１２３に入力し、該オーディオ信号を音声にして接続先のスピーカ１４から出力させる制御や、該ビデオ信号を映像にして接続先のモニタ１３に出力させる制御を行えばよい。
【００６８】
ここで、例えば、マルチビュー再生モードオプションが選択されている場合には、転送される一群のビデオ信号からユーザが指示した（または初期設定の）アングルのビデオ信号を抽出して、配下のＶｉｄｅｏ回路部１２３に入力すればよい。また、例えば、５．１ｃｈサラウンド再生モードオプションが選択されている場合には、転送される一群のオーディオ信号から所定の音声成分のオーディオ信号を抽出して、配下のＡｕｄｉｏ回路部１２２に入力すればよい。
【００６９】
なお、各々対応づけられた放送データ受信回路部１１０から同じ番組の放送データを受信する場合には、各々で、マルチビューに対応した指定番組や５．１ｃｈサラウンドに対応した放送データを受信するよう、チャネル切り替えの制御を行えばよい。なお、マルチビューに対応した指定番組が複数チャネルに跨る場合などは、通知された番組の所望のアングルのビデオ信号を含む放送データを受信するようチャネル切り替えの制御を行えばよい。そして、該放送データ受信回路部１１０からのデコード処理完了の通知を受けたら、該放送データ受信回路部１１０からデコードして得られたオーディオ信号およびビデオ信号を受け取ればよい。なお、受け取った後の動作は転送制御の有無に関わらず、同様でよい。また、アングルの切り替え制御自体は、マルチチャネル再生モードでも実行可能である。
【００７０】
また、リアスピーカ制御部１３１では、マスタ・パネル制御部１２１によるバス転送制御により配下のバッファに転送されるデータから、所定の音声成分のオーディオ信号を抽出し、配下のＡｕｄｉｏ回路部１２２に入力して接続先のスピーカ１４から出力させる制御を行えばよい。
【００７１】
なお、５．１ｃｈサラウンド再生モードにおける所定の音声成分とは、制御回路部１２０ＣＲのパネル制御部１２１であれば、サブウーハースピーカ用として区分された音声成分である。また、制御回路部１２０ＣＬのパネル制御部１２１であれば、センタースピーカ用として区分された音声成分である。また、制御回路部１２０ＳＬのパネル制御部１２１であれば、Ｌ側フロントスピーカ用として区分された音声成分である。また、制御回路部１２０ＳＲのパネル制御部１２１であれば、Ｒ側フロントスピーカ用として区分された音声成分である。また、リアスピーカ制御部１３１であれば、リアスピーカ用として区分された音声成分である。
【００７２】
なお、５．１ｃｈサラウンド再生モードでは、４つの画面にて同じ番組を通常のアングルで表示させるよう各パネル制御部１２１にビデオ信号を選択させてもよい。また、４つの画面にて１つの番組を４分割にして各画面に分割後のブロックのうちパネル領域の位置関係に応じたビデオ信号を抽出させてもよい。なお、１つの番組を３アングルで表示し、そのうちの１アングルをパネル領域１０ＣＲと１０ＣＬで２分割して表示させるといった方法も可能である。
【００７３】
すなわち、本実施形態によれば、携帯電話機１が、略直方体形状の主筐体部（主筐体部１１Ｃ）に対し、通話時の形態において正面を構成するパネル領域を背面にして、一対の副筐体部（副筐体部１１ＳＲ，１１ＳＬ）が左右両端部に位置するヒンジ機構（ヒンジ部１２Ｌ，１２Ｒ）を介して開閉自在に組み合わされることにより観音開き形状で形成され、観音開き形状を開いた時の形態において正面を構成するパネル領域であって、主筐体部を長手方向に２分割した際の右側に位置するパネル領域（パネル領域１０ＣＲ）と、主筐体部を長手方向に２分割した際の左側に位置するパネル領域（パネル領域１０ＣＬ）と、右側の副筐体部のパネル領域（パネル領域１０ＳＲ）と、左側の副筐体部のパネル領域（パネル領域１０ＳＬ）には、それぞれ１つのスピーカと１つの表示器とが配備され、観音開き形状を開いた時の形態において背面を構成するパネル領域には、リアスピーカとして動作させる１つのスピーカ（スピーカＲｅ）が配備され、少なくとも４チャネル分のテレビジョン放送のデータである放送データを受信し、デコードするためのハードウェア資源を含む放送データ受信回路部（放送データ受信回路部１１０）と、正面の４つのパネル領域それぞれに対応して設けられ、対応するパネル領域に配備されているスピーカと表示器に音声と映像を出力させるための制御を行うスピーカ・表示器制御回路部（制御回路部１２０ＣＲ，１２０ＣＬ，１２０ＳＲ，１２０ＳＬ）と、リアスピーカとして動作させるスピーカに音声を出力させるための制御を行うリアスピーカ制御回路部（リアスピーカ用制御回路部１３０Ｒｅ）とを備えた構成となっているので、最大４画面を利用したマルチチャネル再生とマルチビュー再生と５．１ｃｈオーディオ再生とを可能にしている。
【００７４】
従って、より多様な映像サービスおよび音声サービスを利用することができる。また、４画面、５スピーカを観音開き形状にて実現することで、コンパクトな携行を可能としている。
【００７５】
なお、観音開き形状を利用して搭載される４つのモニタおよび５つのスピーカの利用方法は、テレビ放送の視聴のみならず、動画コンテンツによる映像配信などから受信したストリーミングデータの視聴にも利用可能である。
【００７６】
また、各パネル制御部１２１でアプリケーションタスクを起動できるようにすれば、マルチタスクでのＵＩ操作においてタスク切り替えによるアクティブアプリケーションを切り替えることなく、それぞれの画面にて実行することができる。例えば、メール操作用のアプリケーションタスクを起動可能にし、二つの画面で受信メールを見ながら返信メールを作成するといったことも可能になる。なお、各パネル制御部１２１は独立した制御部として設けられているので、他の二つの画面ではテレビ放送を視聴しておくといったことも可能である。
【００７７】
なお、上記例では、携帯スタイル形状がストレートタイプである場合を例に説明したが、携帯スタイル形状を二つ折りタイプとすることも可能である。
【００７８】
図５は、携帯スタイル形状を二つ折りタイプとした場合の携帯電話機１の形状を示す説明図である。なお、図５（ａ）は、携帯電話機１の観音開き状態での正面図である。また、図５（ｂ）は、携帯電話機１の観音開き状態での側面図である。
【００７９】
図５に示すように、携帯スタイル形状を二つ折りタイプとする場合には、ストレートタイプでの主筐体部１１Ｃを、ヒンジ部１２Ｃを介して接続される２つの筐体部１１ＣＲと１１ＣＬとによって形成すればよい。
なお、パネル領域の概念を本例でも適用すれば、テレビ視聴機能の実現方法に関しては上記と同様でよい。すなわち、主筐体部の右側に相当する筐体部１１ＣＲのパネル領域を中央右パネル領域（パネル領域１０ＣＲ）とし、主筐体部の左側に相当する筐体部１１ＣＬのパネル領域を中央左パネル領域（パネル領域１０ＣＬ）とすればよい。
【００８０】
なお、二つ折りタイプの場合には、
【００８１】
また、図６は、本例において携帯スタイル形状を閉じた状態の携帯電話機１を示す説明図である。なお、図６（ａ）は、携帯スタイル形状を閉じた状態の携帯電話機１の側面図である。また、図６（ｂ）は、携帯スタイル形状を閉じた状態の携帯電話機１の正面図である。また、図６（ｃ）は、携帯スタイル形状を閉じた状態の携帯電話機１の背面図である。すなわち、観音開き形状を閉じた状態から、さらに筐体部１１ＣＲ，１１ＣＬのいずれか一方をヒンジ部１２Ｃを軸に他方の筐体部に向かって、携帯スタイル形状での表面を内側にする方向に１８０度回転させることにより、閉状態となる。
【００８２】
なお、観音開き形状を開いた状態では、このヒンジ部１２Ｃが閉状態へ回転しないようにしてもよい。
【００８３】
また、図６（ａ）に示すように、携帯スタイル形状を閉じた状態で正面側となるパネル領域（すなわち、パネル領域１１ＣＲの裏側のパネル領域）に、モニタ１９を配備し、時計等の表示をさせてもよい。なお、このモニタ１９に対する表示制御は、携帯制御部１０４が行えばよい。
【００８４】
図７は、図５に示す携帯電話機１のハードウェアでの構成例を示す説明図である。主筐体部１１Ｃを２つの筐体部１１ＣＲ，１１ＣＬで形成する場合には、例えば、筐体部１１ＣＲ内の裏面側（観音開き形状を開いた状態での裏面側）に設けられるパネル基盤ＣＲ−２上に、マスタＣＰＵが搭載され、該マスタＣＰＵに付随する形で、ＲＦブロックと、キーＩ／Ｆと、２つのｖｉｄｅｏ回路と、２つのＡｕｄｉｏ回路と、バッファとを搭載するようにしてもよい。また、筐体部１１ＣＬ内の裏面側（観音開き形状を開いた状態での裏面側）に設けられるパネル基盤ＣＬ−２上に、キーＩ／Ｆを搭載するようにするなど、図５に示す例においてパネル基盤Ｃ−２上に搭載していたユニットを分担して搭載させればよい。なお、図７に示す例では、その上でモニタ１９用のＶｉｄｅｏ回路が搭載されている例が示されている。
【００８５】
なお、図７に示す例でも、各スレーブＣＰＵと放送データ受信回路およびマスタＣＰＵとが制御信号を介して接続されている。また、放送データ受信回路と各バッファ（マスタＣＰＵおよび各スレーブＣＰＵ制御下のバッファ）とがデータ信号を介して接続されている。
【産業上の利用可能性】
【００８６】
本発明は、携帯電話機に限らず、ＰＤＡや携帯ゲーム機といったテレビ視聴機能以外の機能を主に行う携帯端末に好適に適用可能である。
【図面の簡単な説明】
【００８７】
【図１】本発明による携帯電話機の一実施形態としての携帯電話機１の形状を示す説明図である。
【図２】観音開き形状を閉じた状態の携帯電話機１を示す説明図である。
【図３】携帯電話機１の機能ブロックでの構成例を示すブロック図である。
【図４】携帯電話機１のハードウェアでの構成例を示す説明図である。
【図５】携帯スタイル形状を二つ折りタイプとした場合の携帯電話機１の形状を示す説明図である。
【図６】図５に示す携帯電話機１の携帯スタイル形状を閉じた状態を示す説明図である。
【図７】図５に示す携帯電話機１のハードウェアでの構成例を示す説明図である。
【符号の説明】
【００８８】
１  携帯電話機
１０ＣＲ，１０ＣＬ，１０ＳＲ，１０ＳＬ  パネル領域
１１Ｃ  主筐体部
１１ＳＲ，１１ＳＬ  副筐体部
１２Ｒ，１２Ｌ  ヒンジ部
１３ＣＲ，１３ＣＬ，１３ＳＲ，１３ＳＬ  モニタ
１４ＣＲ，１４ＣＬ，１４ＳＲ，１４ＳＬ，１４Ｒｅ  スピーカ
１００  携帯機能部
１２０  放送データ受信回路部（４ｃｈ分）
１２０ＣＲ，１２０ＣＬ，１２０ＳＲ，１２０ＳＬ  制御回路部
１３０Ｒｅ  リアスピーカ用制御回路部
１２１  パネル制御部
１２２  Ａｕｄｉｏ回路部
１２３  Ｖｉｄｅｏ回路部
１２４  タッチパネルＩ／Ｆ部
１２５  リアスピーカ制御部
【図１】
2009260593.tif 000003
【図２】
2009260593.tif 000004
【図３】
2009260593.tif 000005
【図４】
2009260593.tif 000006
【図５】
2009260593.tif 000007
【図６】
2009260593.tif 000008
【図７】
2009260593.tif 000009